(57)【特許請求の範囲】
【請求項１】
形状が非定型の被記録媒体を搬送する搬送部と、
前記搬送部により記録領域に搬送された前記被記録媒体に対して液体を噴射して記録する記録ヘッドと、を備えた記録装置において、
前記搬送部は、前記被記録媒体を保持するとともに前記記録ヘッドから噴射された際に前記被記録媒体の縁から外れた前記液体を吸収する保持部材と、前記被記録媒体の搬送方向の上流側及び下流側に配置され、前記保持部材が巻き掛けられた一対の回転ローラー部と、前記記録領域を通過した前記保持部材を巻き取る巻取り部と、を有し、前記回転ローラー部を回転させることで前記保持部材とともに前記被記録媒体を前記記録領域へと搬送することを特徴とする記録装置。
【請求項２】
前記搬送部は前記保持部材を介して前記被記録媒体を吸着保持する吸着部を有し、
前記保持部材が多孔質部材から構成されることを特徴とする請求項１に記載の記録装置。
【請求項３】
前記保持部材は、前記被記録媒体の保持面に粘着層が設けられることを特徴とする請求項１に記載の記録装置。
【請求項４】
前記保持部材は、前記粘着層が設けられた面の反対面側に前記液体を透過させない非透過層が設けられることを特徴とする請求項３に記載の記録装置。
【発明の詳細な説明】
【技術分野】
【０００１】
本発明は、例えば用紙などの媒体を搬送する記録装置に関するものである。
【背景技術】
【０００２】
インクジェット方式記録装置は、被記録媒体である記録用紙に対してインク滴を吐出する記録ヘッドと、記録用紙を支持して記録ヘッドに対する記録用紙の位置を規定するプラテンと、を備えている。このようなインクジェット式記録装置として、記録用紙に余白無く記録を行う、所謂縁無し記録を実現可能なものが知られている（例えば、特許文献１参照）。
【先行技術文献】
【特許文献】
【０００３】
【特許文献１】特開２０１０−３０３０７号公報
【発明の概要】
【発明が解決しようとする課題】
【０００４】
しかしながら、上記従来技術では上記被記録媒体の形状が非定型である場合、被記録媒体の外縁からインクが外れてしまい、被記録媒体を保持するプラテンにインクが付着するおそれがある。すると、他の被記録媒体の裏面を汚してしまうおそれがある。また、被記録媒体の形状が非定型であると、記録ヘッドの下方に安定して搬送することが難しいといった問題があった。
【０００５】
本発明はこのような事情に鑑みてなされたものであって、非定型の被記録媒体であっても良好に搬送することができ、且つ裏面を汚すこと無くフチ無し記録を行うことができる記録装置を提供することを目的とする。
【課題を解決するための手段】
【０００６】
上記の課題を解決するために、本発明の記録装置は、形状が非定型の被記録媒体を搬送する搬送部と、前記搬送部により記録領域に搬送された前記被記録媒体に対して液体を噴射して記録する記録ヘッドと、を備えた記録装置において、前記搬送部は、前記被記録媒体を保持するとともに前記記録ヘッドから噴射された際に前記被記録媒体の縁から外れた前記液体を吸収する保持部材と、前記被記録媒体の搬送方向の上流側及び下流側に配置され、前記保持部材が巻き掛けられた一対の回転ローラー部と、前記記録領域を通過した前記保持部材を巻き取る巻取り部と、を有し、前記回転ローラー部を回転させることで前記保持部材とともに前記被記録媒体を前記記録領域へと搬送することを特徴とする。
【０００７】
本発明の記録装置によれば、非定型の被記録媒体のように外縁が種々の形状であっても被記録媒体を保持する保持部材が被記録媒体の縁から外れた液体を吸収することができる。よって、保持部材に載置される他の被記録媒体の裏面が液体で汚れてしまうといった不具合の発生を防止できる。また、保持部材が例えば吸着或いは粘着により被記録媒体を良好に保持するため、被記録媒体の形状が非定型であっても良好に記録領域に搬送することができ、且つ裏面を汚すこと無くフチ無し記録を行うことができる。
【０００８】
本発明の記録装置においては、前記搬送部は、前記記録領域を通過した前記保持部材を巻き取る巻取り部を有するのが好ましい。
この構成によれば、記録領域を通過することで被記録媒体の縁から外れた液体を吸収した保持部材を確実に回収することができる。よって、常に新しい保持部材によって被記録媒体が保持されることとなるので、被記録媒体の裏面が液体で汚されるといった不具合の発生を防止できる。
【０００９】
本発明の記録装置においては、前記搬送部は前記保持部材を介して前記被記録媒体を吸着保持する吸着部を有し、前記保持部材が多孔質部材から構成されるのが好ましい。
この構成によれば、保持部材が多孔質部材から構成されるので、吸着部による吸引力が保持部材を良好に通過することで被記録媒体の裏面を吸引することができる。よって、被記録媒体を保持部材に良好に吸着保持することができる。従って、非定型の被記録媒体であっても良好に記録領域に搬送することができる。
【００１０】
本発明の記録装置においては、前記保持部材は、前記被記録媒体の保持面に粘着層が設けられるのが好ましい。
この構成によれば、粘着層の粘着力によって被記録媒体を保持部材上に良好に保持することができる。よって、非定型の被記録媒体を良好に記録領域に搬送することができる。
【００１１】
本発明の記録装置においては、前記保持部材は、前記粘着層が設けられた面の反対面側に前記液体を吸収しない非吸収層が設けられるのが好ましい。
保持部材は非透過層が設けられた面が回転ローラー部に巻き掛けられている。そのため、保持部材が吸収した液体が保持部材を透過することで回転ローラー部を汚してしまうといった不具合の発生を防止できる。
【図面の簡単な説明】
【００１２】
【図１】第一実施形態に係るプリンターの概略構成を示す側面図。
【図２】吸着部の概略構成を示す図。
【図３】プリンターの動作を説明するための図。
【図４】第二実施形態に係るプリンターの概略構成を示す側面図。
【発明を実施するための形態】
【００１３】
以下、本発明の一実施形態について図面を参照しながら説明する。本実施形態では、記録装置の一例について説明する。記録装置は、インクジェット式プリンター（以下、「プリンター」と略す場合もある）から構成されるものである。
【００１４】
また、以下の説明における図面中においては、ＸＹＺ座標系を用いる場合があり、具体的に記録が施された記録用紙がプリンターから排紙容器へと搬送される方向をＸ方向で示し、印刷処理を行う記録ヘッドの記録用紙に対する走査方向をＹ方向で示し、これらＸＹ方向にそれぞれ直交する方向をＺ方向で示すものとする。なお、図面中のＸ方向、Ｙ方向及びＺ方向を示す矢印において、「○」の中に「・」が記載されたもの（矢の先端を前から見た図）は紙面の裏から表に向かう矢印を意味し、「○」の中に「×」が記載されたもの（矢の羽根を後ろから見た図）は紙面の表から裏に向かう矢印を意味するものとする。
【００１５】
（第一実施形態）
図１は第一実施形態に係るプリンター１００の概略構成を示す側面図である。プリンター１００は、図１に示すように記録媒体としての用紙Ｐに対してインクを噴射するための記録ヘッド１０と、用紙Ｐを記録ヘッド１０の下方の記録領域Ａに搬送する搬送部１１と、記録ヘッド１０による記録（印刷）が施された後、搬送部１１から排出された用紙Ｐを収容する用紙収容部１２と、搬送部１１に用紙Ｐを供給する用紙供給部１３と、を備えている。
【００１６】
ここで、本実施形態に係るプリンター１００は、非定型の用紙Ｐに対して記録ヘッド１０からインクを噴射するためのものである。ここで、非定型の形状とは、例えば円板型、星型（図２に示す本実施形態に係る形状）、リング型、台形型、或いは菱型等の一般的に用いられる矩形形状以外の形状を意味する。
【００１７】
記録ヘッド１０は、用紙Ｐの搬送経路の上側に配置されたガイド軸（不図示）に沿って同図中におけるＹ方向に沿って走査可能となっており、用紙Ｐの幅方向に沿って往復移動するようになっている。記録ヘッド１０には、液体としてのインクを噴射する複数のノズルが設けられている。記録ヘッド１０は搬送部１１により搬送される用紙Ｐの表面にインクを噴射することで用紙Ｐに記録が施されるようになっている。
【００１８】
プリンター１００は、１つの印刷ジョブに含まれる印刷データを複数に分割し、分割された各印刷データに基づく印刷処理を記録ヘッド１０の走査毎に行うとともに、各印刷処理の合間に、用紙Ｐの印刷が施された部分が間欠的に搬送されるようになっている。すなわち、プリンター１００は、記録ヘッド１０が用紙Ｐの幅方向に走査しながらインクを噴射する動作と用紙Ｐの紙送り動作とを交互に繰り返すことで、１つの印刷ジョブに基づく画像を形成するようになっている。
【００１９】
搬送部１１は、用紙Ｐを保持するとともに記録ヘッド１０の下方に搬送する保持部材２１と、用紙Ｐの搬送方向の上流側及び下流側に配置され、保持部材２１が巻き掛けられる搬送ローラー２２及び従動ローラー２３（一対のローラー）と、これら一対のローラー２２，２３間に設けられる吸着部３０と、保持部材２１をロール状に巻き重ねたロール体ＲＳの状態で保持する保持部２４と、ローラー２３を通過した保持部材２１を巻き取る巻取り部２５と、を備えている。
【００２０】
ところで、本実施形態に係るプリンター１００は、上述のように非定型の用紙Ｐに対してフチ無し印刷を行うため、用紙Ｐの縁の形状（外形形状）が複雑なため、従来の矩形形状の用紙に対して行われるフチ無し印刷に対し、記録ヘッド１０のノズルから噴射されたインクが用紙Ｐの縁から大きく外れる可能性が高い。
【００２１】
これに対し、本実施形態に係る搬送部１１は、用紙Ｐを保持する保持部材２１を用いて記録ヘッド１０から噴射された際に用紙Ｐの縁から外れたインクを吸収するようにしている。保持部材２１は用紙Ｐの横幅（搬送方向に直交するＹ方向における幅）よりも大きい横幅を有している（図３参照）。これにより、形状が非定型の用紙Ｐに対してフチ無し印刷を行う場合であっても、用紙Ｐの縁から外れたインクを保持部材２１が確実に吸収できるようになっている。これにより、プリンター１００内がインクによって汚れるのを防止している。
【００２２】
ここで、保持部材２１としては多孔質部材から構成されるものが望ましい。具体的に本実施形態では、保持部材２１の構成材料として不織布を用いている。なお、保持部材２１の厚さは、例えば１ｍｍ以下に設定される。
【００２３】
巻取り部２５は保持部材２１を巻き取る巻取り軸２５ａと、該巻取り軸２５ａを回転駆動する回転モーター２５ｂと、を有する。巻取り部２５は、回転モーター２５ｂの駆動に伴って半時計方向に回転すると、用紙Ｐの搬送方向上流側においてはロール体ＲＳから保持部材２１を巻き解くとともに搬送方向下流側においては保持部材２１を巻き取るようになっている。
【００２４】
また、搬送部１１は、記録ヘッド１０の下流側に、保持部材２１とともに用紙Ｐを挟持する挟持ローラー対２６を有する。挟持ローラー対２６は、上面側ローラー２６ａ及び下面側ローラー２６ｂを含み、各ローラー２６ａ，２６ｂは例えば弾性部材から構成されている。これにより、用紙Ｐにおける印刷面及び保持部材を挟持する際において、ダメージを与えるのを回避するようにしている。
【００２５】
吸着部３０は、保持部材２１を保持するとともに該保持部材２１を介して保持部材２１を吸着保持するための吸引力を発生させるためのものである。
図２は吸着部３０の概略構成を示す図である。図２に示すように、吸着部３０は保持部材２１を載置する本体部３０ａと、該本体部３０ａ内に設けられたファン３０ｂと、を備えている。本体部３０ａの保持部材２１を載置する上面側には、複数の開口（不図示）が形成されている。このような構成に基づき、吸着部３０は上記ファン３０ｂを回転させることで上記複数の開口から本体部３０ａ内に空気を吸い込めるようになっている。
【００２６】
本実施形態では、上述のように保持部材２１として不織布からなるものを用いている。不織布は多孔質部材であるため、上述のように記録ヘッド１０から噴射されたインクを良好に吸収することができる。さらに、保持部材２１は吸着部３０による吸引力を良好に通過させることが可能となっている。よって、図２に示すように、吸着部３０による吸引力が用紙Ｐの裏面に確実に付与されることで用紙Ｐを保持部材２１上に良好に吸着保持できるようになっている。
【００２７】
用紙収容部１２は用紙Ｐを収容可能なトレイ状の部材から構成されるものである。用紙収容部１２は搬送部１１から投げ出された用紙Ｐを回収できる位置に配置されている。具体的に、用紙収容部１２は搬送部１１に平面的に重なる位置に配置されている。このようにすれば、用紙収容部１２が搬送部１１から離れすぎることで用紙Ｐを良好に回収できない、或いは用紙収容部１２が搬送部１１に近すぎることで用紙Ｐが用紙収容部１２とは異なる位置に落下するといった不具合の発生を防止している。
【００２８】
なお、本実施形態では、用紙収容部１２が固定された構成としたが、用紙収容部１２が搬送部１１に対して昇降する構成であっても構わない。この構成によれば、例えば搬送部１１における用紙Ｐの排出位置の高さまで用紙収容部１２を上昇させることで、用紙収容部１２が用紙Ｐをスムーズに受け取ることが可能となる。また、用紙収容部１２における用紙Ｐを載置する載置面を搬送部１１側から離間するに従って下方に傾斜する傾斜面とするようにしても構わない。この構成によれば、搬送部１１から排出された用紙Ｐがはじめに傾斜面に当接した後、傾斜面に沿って用紙収容部１２内に良好に滑り込ませることができる。よって、用紙収容部１２内に用紙Ｐを良好に収容することが可能となる。
【００２９】
用紙供給部１３は、用紙Ｐを保持する用紙保持部１３ａと、該用紙保持部１３ａに保持された用紙Ｐを搬送部１１に向けて給紙する給紙ローラー１３ｂと、を有する。用紙保持部１３ａは、搬送部１１側の一端部を該一端部と反対の他端部に対して下方に傾けることで用紙Ｐの保持面が搬送部１１の保持部材２１に向かって傾斜した状態に設置されている。また、給紙ローラー１３ｂは、用紙保持部１３ａに保持されている用紙Ｐに当接する外形を有しており、回転駆動することで用紙Ｐに対して搬送部１１に向かう搬送力を付与できるようになっている。このように用紙供給部１３は、用紙保持部１３ａの用紙載置面が傾斜面をなしており、該斜面に載置される用紙Ｐに対して給紙ローラー１３ｂの搬送力が付与されるので、搬送部１１に対して用紙Ｐを確実に供給できるようになっている。
【００３０】
次に、プリンター１００の動作について説明する。
プリンター１００は、用紙供給部１３の給紙ローラー１３ｂを駆動させ、用紙保持部１３ａに保持される用紙Ｐを搬送部１１に向けて給紙する。搬送部１１では、搬送ローラー２２を駆動する。搬送部１１は、搬送ローラー２２の回転に伴って従動ローラー２３が回転する。これにより、搬送ローラー２２及び従動ローラー２３に巻き掛けられた保持部材２１が図１に示した＋Ｘ方向に移動し、保持部材２１上に載置されている用紙Ｐを搬送することができる。
【００３１】
このとき、搬送部１１は搬送ローラー２２の駆動に同期させて巻取り部２５を駆動させる。なお、搬送ローラー２２及び巻取り部２５の駆動力は、後述する吸着部３０が用紙Ｐを吸着する力よりも大きく設定される。
【００３２】
巻取り部２５は、回転モーター２５ｂの駆動により巻取り軸２５ａを回転させて保持部材２１の移動方向前方側の端部を巻取り軸２５ａに巻き取る。一方、用紙Ｐの搬送方向上流側においてはロール体ＲＳから保持部材２１が巻き解かれている。このように搬送部１１では、搬送ローラー２２の駆動に伴ってロール体ＲＳから巻き解かれた保持部材２１を巻取り部２５が順次巻き取ることで保持部材２１が移動するので、保持部材２１には弛みが生じることなく所定の張力が付与された状態となる。よって、用紙Ｐが載置される面の平面度を高く保つことができ、記録ヘッド１０は用紙Ｐに対して良好にインクを噴射することができる。
【００３３】
また、本実施形態においては、搬送部１１が用紙Ｐを搬送する際に、吸着部３０を駆動させるようにしている。吸着部３０はファン３０ｂを回転させることで本体部３０ａ上に載置される保持部材２１に対して吸引力を付与することができる。ここで、保持部材２１は上述のように多孔質部材である不織布から構成されているため、吸着部３０による吸引力を良好に通過させることができる。よって、図２に示したように、搬送部１１は、吸着部３０による吸引力を用紙Ｐの裏面に確実に付与することで用紙Ｐを保持部材２１上に良好に吸着保持することができる。
【００３４】
このように本実施形態に係る搬送部１１は、吸着保持した状態で用紙Ｐを搬送できるので、記録ヘッド１０の下方に搬送する過程において用紙Ｐの載置位置にズレが生じるのを防止することができる。よって、非定型の用紙Ｐであっても安定保持した状態で記録ヘッド１０による記録領域に搬送することで高品質な印刷を行うことができる。
【００３５】
プリンター１００は、図３に示すように搬送部１１により搬送される用紙Ｐに対して記録ヘッド１０を同図Ｙ方向に走査しつつ、ノズル（不図示）からインクを噴射することで所定の記録動作を行う。ここで、本実施形態では用紙Ｐに対してフチ無し印刷を行うため、図３に示したように用紙Ｐの縁からはずれたインクＩが保持部材２１に着弾する。なお、本実施形態では、用紙Ｐとして図３に示すように星型のものを用いている。
【００３６】
保持部材２１は、上述のように不織布から構成されているため、用紙Ｐの縁から外れたインクＩを吸収することができる。よって、用紙Ｐの縁から外れたインクによってプリンター１００の内部が汚れてしまうといった不具合の発生を防止できる。また、本実施形態では、記録ヘッド１０の下方を通過した保持部材２１（すなわち、用紙Ｐの縁から外れたインクを吸収した保持部材）が巻取り部２５によって巻き取られる構成となっている。そのため、保持部材２１が再利用されることで用紙Ｐの裏面が汚れるといった不具合の発生を防止できる。
【００３７】
記録ヘッド１０による記録処理が行われた用紙Ｐは、搬送部１１により用紙収容部１２へと受け渡される。用紙収容部１２に受け渡される際、用紙Ｐは搬送方向の上流側において保持部材２１から離間した状態となるものの、搬送方向の下流側において挟持ローラー対２６により良好に保持されたものとなっている。そのため、用紙Ｐは図１中の１点鎖線で示すように搬送方向上流側の端部が下方に垂れ下がることで用紙収容部１２内に収容された後、搬送方向下流側の端部が挟持ローラー対２６から排出されることで用紙収容部１２内へと落下することで用紙Ｐの全体が用紙収容部１２に収容される。
【００３８】
以上述べたように、本実施形態に係るプリンター１００によれば、用紙Ｐの形状が非定型であっても用紙Ｐを搬送する保持部材２１が用紙Ｐの縁から外れたインクを吸収できる。また、搬送部１１は、使用済みの保持部材２１は巻取り部２５によって回収することで再利用しないため、他の用紙Ｐの裏面が汚れるといった不具合を防止できる。また、搬送部１は、吸着部３０により用紙Ｐを吸着保持して搬送することができるので、形状が非定型の用紙Ｐであっても記録ヘッド１０の下方に良好に搬送することができ、且つ裏面を汚すこと無くフチ無し記録を行うことができる。
【００３９】
（第２実施形態）
続いて、本発明の第二実施形態に係るプリンターについて説明する。本実施形態と上記実施形態との違いは搬送部の構成であり、それ以外の構成については第一実施形態と共通である。そのため、第一実施形態と同一及び共通の構成については、同一の符号を付し、その説明については省略若しくは簡略化するものとする。
【００４０】
図４は第二実施形態に係るプリンター２００の概略構成を示す側面図である。プリンター２００は、図４に示すように記録ヘッド１０と、用紙Ｐを記録ヘッド１０の下方に搬送する搬送部１１１と、搬送部１１１から排出された用紙Ｐを収容する用紙収容部１２と、搬送部１１１に用紙Ｐを供給する用紙供給部１３と、を備えている。
【００４１】
搬送部１１１は、用紙Ｐを保持するとともに記録ヘッド１０の下方に搬送する保持部材１２１と、用紙Ｐの搬送方向の上流側及び下流側に配置され、保持部材１２１が巻き掛けられる搬送ローラー２２及び従動ローラー２３と、保持部２４と、巻取り部２５と、用紙Ｐの搬送方向の上流側及び下流側において保持部材１２１とともに用紙Ｐを挟持する挟持ローラー対１２６，１２７を備えている。
【００４２】
本実施形態に係る搬送部１１１は、第一実施形態に係る搬送部１１と異なり、吸着部３０を有しない構成となっている。本実施形態に係る搬送部１１１の保持部材１２１は、例えば３層構造となっている。具体的に保持部材は、下地層（非透過層）１２１ａ、インク吸収層１２１ｂ、及び粘着層１２１ｃが順に積層された構造を有している。下地層１２１ａは搬送ローラー２２及び従動ローラー３３に当接する面側に設けられ、粘着層１２１ｃは用紙Ｐを載置する載置面側に設けられている。
【００４３】
下地層１２１ａは、インク吸収層１２１ｂが吸収したインクを透過させない部材、例えばゴム部材や樹脂部材から構成されている。また、インク吸収層１２１ｂは、上記第一実施形態に係る保持部材２１の構成材料と同じ不織布から構成されている。そのため、用紙Ｐの縁から外れたインクを良好に吸収することができるようになっている。また、粘着層１２１ｃは、保持部材１２１上に載置される用紙Ｐの裏面に粘着力を付与することで用紙Ｐを保持するためのものである。なお、粘着層１２１ｃとしては、搬送時に用紙Ｐを安定して保持することができ、且つ保持部材１２１が巻取り部２５に巻き取られる際に用紙Ｐの裏面から容易に剥離可能な程度の粘着力を付与することのできる接着材が用いられている。
【００４４】
挟持ローラー対１２６は上面側ローラー１２６ａ及び下面側ローラー１２６ｂを有し、挟持ローラー対１２７は上面側ローラー１２６ａ及び下面側ローラー１２６ｂを有している。各ローラー１２６ａ，１２６ｂ，１２７ａ，１２７ｂは例えば弾性部材から構成されている。これにより、用紙Ｐにおける印刷面及び保持部材を挟持する際において、ダメージを与えるのを回避するようにしている。
【００４５】
次に、プリンター２００の動作について説明する。
プリンター２００は、用紙保持部１３ａに保持される用紙Ｐを搬送部１１１に向けて給紙する。搬送部１１１は搬送ローラー２２の回転に伴って従動ローラー２３が回転すると、搬送ローラー２２及び従動ローラー２３に巻き掛けられた保持部材２１が図４に示した＋Ｘ方向に移動し、保持部材２１上に載置されている用紙Ｐを搬送することができる。なお、保持部材２１は用紙Ｐの搬送方向下流側において巻取り部２５に巻き取られ、搬送方向上流側においてロール体ＲＳから巻き解かれる。
【００４６】
搬送部１１１の保持部材１２１上に載置された用紙Ｐは、保持部材１２１の最上層に形成された粘着層１２１ｃの粘着力により保持部材１２１上に良好に保持された状態で記録ヘッド１０の下方へと搬送される。
【００４７】
このように本実施形態に係る搬送部１１１は、粘着層１２１ｃによる粘着力によって用紙Ｐを良好に保持した状態で搬送できるので、記録ヘッド１０の下方に搬送する過程において用紙Ｐの載置位置にズレが生じるのを防止することができる。よって、非定型の用紙Ｐであっても安定保持した状態で記録ヘッド１０による記録領域に搬送することで高品質な印刷を行うことができる。
【００４８】
プリンター２００は、搬送部１１１により搬送される用紙Ｐに対して記録ヘッド１０を走査しつつ、ノズル（不図示）からインクを噴射することで所定のフチ無し記録動作を行う。このとき、用紙Ｐの縁からはずれたインクが保持部材１２１に着弾する。
【００４９】
保持部材１２１は、不織布から構成されたインク吸収層１２１ｂを備えているため、用紙Ｐの縁から外れたインクを吸収することができる。よって、用紙Ｐの縁から外れたインクによってプリンター２００の内部が汚れてしまうといった不具合の発生を防止できる。また、本実施形態では、記録ヘッド１０の下方を通過した保持部材１２１（すなわち、用紙Ｐの縁から外れたインクを吸収した保持部材１２１）が巻取り部２５によって巻き取られるため、保持部材１２１が再利用されることで用紙Ｐの裏面が汚れるといった不具合の発生を防止できる。
【００５０】
保持部材１２１のうちインクを吸収したインク吸収層１２１ｂの下層には、インクを透過させない下地層１２１ａが形成されているので、保持部材１２１が巻き掛けられる搬送ローラー２２及び従動ローラー２３がインク吸収層１２１ｂに吸収されたインクによって汚れてしまうといった不具合の発生を防止することができる。記録ヘッド１０による記録処理が行われた用紙Ｐは、搬送部１１１により用紙収容部１２へと受け渡される。
【００５１】
以上述べたように、本実施形態に係るプリンター２００においても、保持部材１２１が用紙Ｐを良好に保持するとともに用紙Ｐの縁から外れたインクを吸収することができる。よって、非定型の用紙Ｐであっても記録ヘッド１０の下方に良好に搬送することができ、且つ裏面を汚すことなくフチ無し印刷を行うことができる。
【００５２】
なお、本発明は上述した実施形態に限定されることはなく、発明の趣旨を逸脱しない範囲において適宜変更可能である。
【００５３】
上記実施形態では、記録方式としてインクジェット方式を採用した記録装置について記載したが、電子写真方式や熱転写方式など、任意の記録方式の記録装置に変更することもできる。また、記録装置はプリンターに限らず、ＦＡＸ装置、コピー装置、あるいはこれら複数機能を備えた複合機等であってもよい。さらに、記録装置として、インク以外の他の液体の微小量の液滴を噴射したり吐出したりする液体噴射ヘッド等を備える液体噴射装置を採用してもよい。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。
【００５４】
また、搬送装置は、記録装置によって記録が施された媒体を仕分装置に搬送するものに限らない。例えば、媒体に対するシールの貼付処理や、箔の転写処理や、染色処理などの各種処理が施された媒体をその後工程（例えば梱包や検品など）を行う位置に向けて搬送する搬送装置としてもよい。また、媒体は用紙に限らず、金属やプラスチックフィルム、布など、任意の素材から構成することができる。
【符号の説明】
【００５５】
Ａ…記録領域、Ｐ…用紙（記録媒体）、１０…記録ヘッド、１１…搬送部、２１，１２１…保持部材、２２…搬送ローラー（一対のローラー部の一方）、２３…従動ローラー（一対のローラー部の他方）、２５…巻取り部、３０…吸着部、１００，２００…プリンター（印刷装置）、１２１ａ…下地層（非透過層）、１２１ｃ…粘着層
【図１】
0005757141.tif 000002
【図２】
0005757141.tif 000003
【図３】
0005757141.tif 000004
【図４】
0005757141.tif 000005